(57)【特許請求の範囲】
【請求項１】
上部に注入口を、下部に注出口を備えた液体容器本体の下方に脚部を装着する下部注出型液体容器において、
本体の底面に前方の掛け爪と後方の掛け爪を前後異なる方向に向けて突出させるとともに、脚部上面に前記本体底面から突出する掛け爪が係合する受け爪を形成し、前後いずれか一方の掛け爪と受け爪は前後方向の動きによって着脱可能とし、前後いずれか他方の掛け爪と受け爪は着脱手段を備えたことを特徴とする下部注出型液体容器。
【請求項２】
上部に注入口を、下部に注出口を備えた液体容器本体の下方に脚部を装着する下部注出型液体容器において、
本体の底面前後に前方の掛け爪と後方の掛け爪を前後異なる方向に向けて突出させるとともに、脚部に前記本体底面から突出する掛け爪が係合する受け爪を成し、該脚部に形成する受け爪は前後いずれか一方を掛け爪の前後方向の動きによって着脱可能とし、前後いずれか他方の受け爪は前記一方の受け爪が掛け爪と係合する方向に付勢するバネを有する着脱手段を備えたことを特徴とする下部注出型液体容器。
【請求項３】
着脱手段を備えていない脚部の掛け爪挿入部分が、本体の掛け爪を受け爪方向に向けて誘導する傾斜面で形成されていることを特徴とする請求項２記載の下部注出型液体容器。
【請求項４】
本体の底面に突出する掛け爪が、取り外した本体を載置するための補助脚として水平位置で接地することを特徴とする請求項１ないし３のいずれかに記載の下部注出型液体容器。
【請求項５】
本体底面の掛け爪に係合しかつバネによって付勢される受け爪を、脚部に対して着脱可能とすることを特徴とする請求項２ないし４のいずれかに記載の下部注出型液体容器。
【発明の詳細な説明】
【０００１】
【発明の属する技術分野】
本発明は上部にコーヒーなどの内溶液の注入口を、下部に内容液の注出口を備えた本体に一定の高さの脚部を装着し、本体下部の注出口から注出する内溶液をコップなどに受けることができる下部注出型液体容器に関するものである。
【０００２】
【従来の技術】
下部注出型液体容器には、実公平４-２８５２６号や特開平１１-３３２７５６号に開示されるように、本体と脚部を着脱自在とするものが知られている。実公平４-２８５２６号公報には、本体に対して脚部を着脱可能とする基本的な思想と、実施例として本体と脚部をネジ嵌合によって着脱可能とする方法が開示されている。一方、特開平１１-３３２７５６号には、具体的な構造として脚部の上面に連結具を突出させ、該連結部を本体底面の一部に係合させるとともに、連結具に連結解除用の操作部を備えた保温ポットの思想が開示されている。
【０００３】
【発明が解決しようとする課題】
実公平４-２８５２６号に開示された本体と脚部の具体的な装着方法は、ネジ嵌合方式であるため装着位置が定まりにくいとともに、着脱の際に本体全体を回さなければならない欠点がある。また、特開平１１-３３２７５６号に開示されたように前後に配置され係止手段、すなわち脚部に配置した掛止爪を本体の係合受部に同時に係合させ、あるいは連結具の操作によって前後の掛止爪と本体の係合受部の係合を同時に解除しなければ着脱することができず、操作が煩雑であるという欠点があった。
本発明は、上記従来技術の欠点に鑑み、より簡単な操作で確実に本体と脚部を着脱することができる下部注出型液体容器を提供することを目的とするものである。
【０００４】
【課題を解決するための手段】
上記目的を達成するため本発明は、上部に注入口３を、下部に注出口４を備えた液体容器本体１の下方に脚部２を装着する下部注出型液体容器において、本体１の底面に前方の掛け爪５と後方の掛け爪６を前後異なる方向に向けて突出させる。一方脚部２上面には、本体１の底部から突出する掛け爪５及び６が係合する受け爪７及び８を形成し、前後いずれか一方の掛け爪と受け爪は前後方向の動きによって着脱可能とし、前後いずれか他方の掛け爪と受け爪は着脱手段を備えたものとする。
【０００５】
このとき、前後いずれか他方の受け爪８は一方の受け爪７が掛け爪５と係合する方向に付勢するバネを備えた着脱手段を備えたものにしておくと、バネの弾発力によって常時係合状態を維持することができる。また、着脱手段を備えていない脚部の掛け爪挿入部分を、本体の掛け爪５を受け爪７の方向に向けて誘導する傾斜面で形成しておくと、装着の際に掛け爪５を受け爪７と係合する方向に本体１が自然に移動し、係合操作を容易に行うことができる。
その他、取り外した本体１を周辺の任意位置に載置しておくときに、本体底面に突出する掛け爪５，６が水平位置で接地するように掛け爪先端の水平レベルを一致させておくと、掛け爪５，６が補助脚として機能する。また、バネによって付勢される受け爪を、脚部に対して着脱可能としておくと、これを取り外して洗浄することができ衛生的である。
【０００６】
【発明の実施の形態】
以下、本発明に係る下部注出型液体容器の実施形態を、添付の図面に基づいて説明する。
図１は下部注出型液体容器全体の縦断面図、図２は本体底部の下方斜視図、図３は脚部の斜視図である。
【０００７】
図１に示す下部注出型液体容器は、本体１の内部に上下両口の内容器10を収容し、上開口10aに注入口３を形成するとともに、下開口10bに連通させて注出口４を形成している。本体１の下に脚部２を着脱自在に装着して、注出口４の下方に一定の空間を形成することにより、注出口４の下方にカップを置きその中に内容液を注ぐことができるようになる。この形態の下部注出型液体容器は、例えば内容液として抽出したコーヒーを収容しておき、必要に応じて温かいコーヒーをカップに注ぎ出す、主として業務用として利用することができる。
【０００８】
注入口３は、内容器10の上部を保持する本体の肩部材11に中栓12を着脱自在に装着し、中栓12を取り外すことによって内容液を内容器10内部に注入することができるようにしている。特に、図示例の中栓12はその中心部に漏斗状の液通路12aを形成し、この液通路12aにキャップ13を装着している。この構成により、中栓12を取り外せば内容器10の上開口10aを全開して内容器10内部を洗浄したり、内容液を大量に供給することができる。一方、中栓12を装着した状態でキャップ13を取り外せば、例えばコーヒーの抽出機から少しずつ出てくるコーヒーを直接内容器10内に溜めることができる。この場合、開口させる部分が小さくなり、内容液が冷えるのを最小限とすることができる。
【０００９】
内容器10の下開口10bには注出パイプ14が装着され注出口４に開口している。注出パイプ14には弁セット15が設けられ、注出レバー15aの操作によって内容液を注出することができる。また、注出パイプ14は水位管16に連通させてあり、内容器10内の内容液の量を知ることができる。
本体１の下に着脱する脚部２は、図３に示すように本体１の背面側を支持する壁部2aと、前方に突出しカップなどを置くことができる平板部2bで形成し、本体１を装着した状態で安定よく載置することができるようにしている。
【００１０】
次に、本体１と脚部２の着脱構造を説明する。本体１と脚部２の着脱構造として、図２に示すように本体１の底面に前方の掛け爪５，５と後方の掛け爪６の二種類の掛け爪を突出させている。前方の掛け爪５，５は、本体１底面の左右両側に位置し、係合する爪を前方すなわち正面に向けて突出させているとともに、後方の掛け爪６は本体１底面の後方に位置させ、係合する爪を後方すなわち背面に向けて突出させている。なお、図示例では、本体１の底面前方の左右対称位置に二つの補助脚17，17を突出させている。また、注出口構造は、本体１の底面に突出する注出パイプ14をカバー18で覆い、カバー18の前方部分において注出口４を下方に向けて突出させている。下方に向けて突出する注出口４の前半部は、その外方をカバー18に突出形成した保護壁19によってカップなどがぶつからないように保護している。
【００１１】
脚部２の上面、すなわち半円周壁状に形成した壁部2aの上面には、前記本体１底面に突出させた掛け爪５及び６と対応する位置に受け爪7，７及び８を配置している。前方の掛け爪５に係合する受け爪７は、脚部２上面に凹所20として形成し、この凹所20の前端に受け爪７を形成している。凹所20の後方壁面は前方に向けて低くなる傾斜面20aとすることによって、凹所20に挿入した掛け爪５が自然に前方に誘導されるようにしている。このとき、掛け爪５の後面も傾斜面5aとすることによって掛け爪５が滑らかに前方に誘導される。
【００１２】
後方の掛け爪６に係合する受け爪８は、脚部２の背面上端部分に背面が開放される態様で形成した凹所21に、受け爪セット23をビス22で着脱可能に装着することによって形成している。受け爪セット23は、支持台24と、支持台に軸25によって軸支される受け爪８と、受け爪８を前方に付勢するバネ26で構成している。この構成とすることによって、後方の受け爪８のバネ26の弾発力で後方の掛け爪６ひいては本体１全体を前方に押し出し、前後の受け爪による係合状態を維持する機能を生じる。図示例では、後方の受け爪を着脱可能な受け爪セット23として構成しているが、必ずしも着脱構造である必要はない。
【００１３】
本体１を脚部２に装着するには、図５(ａ)に示すように、本体１を少し前方に傾けながら前方の掛け爪５を脚部２の凹所20に挿入すると、掛け爪５は傾斜面20ａに沿って前方に移動する。この状態で図５(ｂ)に示すように、後方の受け爪８を手指によって後方に位置させておき、本体１を水平に戻して行くと、図５(ｃ)に示すように掛け爪６と受け爪８が係合し、バネ26の力によって本体１全体を前方に押し出して掛け爪５と受け爪７及び掛け爪６と受け爪８の係合状態を維持する。掛け爪６の背面と受け爪８の前面を傾斜面6a及び8aに形成しておくと、手指で受け爪８を後方に位置させておかなくても、傾斜面6aと8aが当接し自然に係合させることができる。洗浄などの目的で脚部２と本体１を分離させるには、前記場合とは逆に、バネ26の弾発力に抗して手指で受け爪８を後方に移動させて掛け爪６と受け爪８の係合を外せば、本体１を前方に倒しぎみにして取り外すことができる。
【００１４】
図６は、本発明の別の実施形態を示す断面図である。この実施形態は、前方の掛け爪５を後方に向けて形成するとともに、後方の掛け爪６を前方に向けて形成している。前方の掛け爪５に係合する受け爪７は、脚部２上面の前部に形成した凹所20の後端に形成し、前方壁面を傾斜面20ａとしている。後方の掛け爪６は前方に向けて形成するとともに、後方の掛け爪６に係合する受け爪８は、脚部２上面の後部に形成した凹所21内に配置している。すなわち、凹所21内にバネ26によって後方に付勢される受け爪８を配置している。この実施形態は、前記図１ないし図５に記載した実施形態と前後を逆として同じように作用する。なお、この実施形態では人為的操作によって掛け爪６と切欠凹所21内の受け爪８の係合を外すための手段を別に設けておく。この係合を外すための手段として、例えば図６に二点鎖線で示すように操作レバー27を引っ張ることによって係合が外れるようにすることができる。
【００１５】
図７は、本発明のさらに別の実施形態を示す断面図である。この実施形態は、前方の掛け爪５を前方に向けて形成するとともに、後方の掛け爪６を後方に向けて形成している。前方の掛け爪５に係合する受け爪７は、脚部２上面の前部に形成した凹所20に前方から後方に向けて出没可能であって、バネ28によって後方に付勢されるものとして形成している。前方の受け爪７には、図示していないが、人為的操作による着脱手段として脚部２の外側面に操作杆を突出させておき、バネ28の弾発力に抗して掛け爪５を前方に移動させ、掛け爪５と受け爪７の着脱操作を行うことができるようにしておく。
【００１６】
一方、後方の掛け爪６に係合する受け爪８は脚部２上面の後部に形成した凹所21の後端に形成し、前方壁面を傾斜面21ａとしている。この実施形態では、本体１を後方に傾けて後方の掛け爪６を受け爪８に係合させ、本体を水平に戻して掛け爪５を凹所20に挿入した後、受け爪７を後方に移動させて掛け爪５と受け爪７を係合させる。脚部後方の凹所21の前方壁面は傾斜面21ａとし、後方の掛け爪６を受け爪８に自然に係合させることができるようにしている。
【００１７】
図８はさらに別の実施形態を示すものである。この実施形態は、前方に向けた掛け爪５と後方に向けた掛け爪６を本体１の底面に配置するとともに、凹所20及び21を脚部２上面に形成し、前方の凹所20の前端に受け爪７を、後方の凹所21の後端に受け爪８を形成している。本体１の底面に配置する掛け爪のうち、前方の掛け爪５は前後方向に遊動可能とし、かつバネ29によって前方に付勢している。また、図示していないが、掛け爪５は本体底部の側方に突出させた操作杆によって手指で後方に押し戻すことができるようにしておく。この実施形態では、前方の掛け爪５を手指で後方に押した状態で掛け爪５と６をそれぞれ凹所20，21に挿入し、手指による掛け爪５の押圧を解除すると、バネ29の弾発力によって掛け爪５が前方に移動し、掛け爪５と受け爪７及び掛け爪６と受け爪８の係合状態が実現する。
【００１８】
図９は、後方の掛け爪と受け爪の変形実施例を示すもので、本体１の背面下端部分に下方に開放するコ字壁30を形成するとともに、脚部２の背面上端部分にその一部が脚部の上端よりも上方に突出し上方に開放されるコ字壁31を形成している。脚部２のコ字壁31は上方に突出しているため、前記本体のコ字壁30の一部が入り込む。本体１のコ字壁30の左右内側面に掛け爪32を形成するとともに、脚部のコ字壁31内に左右一対の受け爪33，33を配置し、該受け爪33，33をバネ34によって外方に付勢している。受け爪33，33の外側面には操作ボタン33ａ，33ａを突出させ、この操作ボタン33ａ，33ａをコ字壁31に穿設した貫通孔31ａ，31ａから器外に突出させてある。この構成とすることによって図９に二点鎖線で示すように、本体１のコ字壁30の掛け爪32と脚部２のコ字壁31の内部に配置した受け爪33を係合させ、本体１と脚部２をしっかりと係合させることができる。本体１と脚部２の係合を解除するには、コ字壁31の左右側面に突出している操作ボタン33ａ，33ａを手指で押せばバネ34の弾性に抗して受け爪33，33が内側に移動し、掛け爪32と受け爪33の係合を外すことができる。
【００１９】
なお、本体１上面に配置する受け爪のうち、人為的操作による着脱手段を備えた受け爪には、必ずしもバネを装着する必要はなく、図示していないが掛け爪と受け爪を手動で着脱させる構造として本発明を実施することもできる。このようなものでは、掛け爪と受け爪を手動で着脱させ、所定の係合位置において受け爪がロックされて係合状態を維持する係止手段、例えばロックピンや凹凸嵌合による係止構造を設けておく。
【００２０】
洗浄、その他の目的で脚部２から本体１を外した場合、外した本体１をその周辺に置く必要がある。そこで、本体１の底面に突出させている掛け爪５，６の下端位置を図７や図８に示すように同じ水平レベルとなるように統一しておくと、掛け爪５を任意水平位置に置くための補助脚として活用することができる。しかしながら、前方の掛け爪５，５が本体の中心よりも前方であればよいが、中心よりも後方に位置するもでは本体１が転倒してしまう。そこで、図２に示すように本体底面の前方左右対称位置に、掛け爪とは別に補助脚17，17を突出させておくことにより、後方の掛け爪６との組み合わせによって本体１を安定よく置くことが可能となる。このとき、補助脚17，17の下端位置と後方の掛け爪６の下端位置を同じ水平位置に統一し、前方の掛け爪５，５は邪魔にならないように少し短くしておくと本体１を安定良く載置することができる。
なお、本体１を水平面に載置するための補助脚として、注出パイプのカバー18に形成した保護壁19の先端を掛け爪５や６の先端と同一水平レベルに統一しておき、補助脚として有効に利用することも可能である。
【００２１】
下部注出型液体容器では、本体の下に脚部が設けられることによって背が高くなるため、洗浄その他の取り扱いに不便である。本発明では、簡単に本体１と脚部２を分離させてそれぞれを洗浄することができる。このとき、バネをセットした受け爪セットを取り外すことができるようにしたものでは、バネ機構に付着したごみや汚れを洗浄する場合に便利である。本体１と脚部２を分離させる場合として、上記本体や脚部を洗浄の場合の他、本体を台の上において使用する場合などが考えられる。
【００２２】
【発明の効果】
請求項１記載の本発明下部注出型液体容器によれば、洗浄などに際して本体と脚部を分離可能としその取扱いが容易なものとなる。そして、その着脱は従来の構造のように本体を回転させたり、前後の係止手段を同時に操作するといった煩わしさがなく、一つの受け爪の着脱手段によって容易に行うことができる。
【００２３】
請求項２記載の発明によれば、請求項１記載の発明の効果に加え、一旦係合させた本体と脚部は、バネの力によって係合状態を維持し安心して使用することができる。
【００２４】
請求項３記載の発明によれば、本体を脚部に装着する際、本体の掛け爪を脚部の掛け爪挿入部分に合わせて装着することによって、本体を受け爪との係合方向に自然に誘導し、本体の装着を容易に行うことができる。
【００２５】
請求項４記載の発明によれば、脚部から取り外した本体を周辺の任意位置におくことができ、洗浄その他の作業にも便利である。
【００２６】
請求項５記載の発明によれば、汚れ易くなるバネ構造の受け爪部分を着脱可能とすることによって、該部分の洗浄を容易に行うことができる。
【図面の簡単な説明】
【図１】本発明の一実施形態である下部注出型液体容器全体の縦断面図、
【図２】図１に示す下部注出型液体容器本体底部の下方斜視図、
【図３】図１に示す下部注出型液体容器脚部の後方斜視図、
【図４】本体と脚部の係合部分のみの断面図、
【図５】本体と脚部の装着順序を示す、本体と脚部の係合部分の断面図、
【図６】別の実施形態を示す本体と脚部の係合部分のみの断面図、
【図７】さらに別の実施形態を示す本体と脚部の係合部分のみの断面図、
【図８】さらに別の実施形態を示す本体と脚部の係合部分のみの断面図、
【図９】本体と脚部の掛け爪構造の変形実施形態を示す断面図。
【符号の説明】
１…本体、  ２…脚部、  2ａ…壁部、  2ｂ…平板部、  ３…注入口、  ４…注出口、  ５，６，32…掛け爪、  ７，８，33…受け爪、  10…内容器、  10ａ…上開口、  10ｂ…下開口、  11…肩部材、  12…中栓、  13…キャップ、  14…注出パイプ、  15…弁セット、  15ａ…注出レバー、  16…水位管、  17…補助脚、  18…カバー、  19 …保護壁、  20，21…凹所、  20ａ，21ａ，5ａ，6ａ，8ａ…傾斜面、  22…ビス、  23…受け爪セット、  24…支持台、  25…軸、  26，34，28，29…バネ、  27…操作レバー、  30，31…コ字壁、  33ａ…操作ボタン。
【図１】
0003644929.tif 000002
【図２】
0003644929.tif 000003
【図３】
0003644929.tif 000004
【図４】
0003644929.tif 000005
【図５】
0003644929.tif 000006
【図６】
0003644929.tif 000007
【図７】
0003644929.tif 000008
【図８】
0003644929.tif 000009
【図９】
0003644929.tif 000010